(57)【要約】【課題】  データファイルの削除予定と空き容量の関係を示す情報を提供する。【解決手段】  サイズ保持部105は、ファイル保管部101が保管するデータファイルのデータ量情報を保持する。削除予定管理部102および削除予定保持部106は、ファイル保管部101が保管するデータファイルの削除予定日時を管理する。一覧情報生成部111は、ファイル保管部101が保管する全部または一部のデータファイルについて、削除予定日時とデータ量情報を取得して、空き容量計算部109にファイル保管部101の将来の空き容量を予測させる。表示処理部112は、削除予定日時と、予測された空き容量の関係を示す画面情報を生成する。【選択図】  図1
2008090496.tif 000002
【特許請求の範囲】
【請求項１】
データファイルを保管する保管手段と、
前記保管手段が保管するデータファイルのデータ量情報を保持する保持手段と、
前記保管手段が保管するデータファイルの削除予定日時を管理する管理手段と、
前記保管手段が保管する全部または一部のデータファイルについて、前記管理手段が管理する削除予定日時と前記保持手段が保持するデータ量情報を取得して、前記削除予定日時以降の前記保管手段の空き容量を予測する予測手段と、
前記予測手段が取得した前記削除予定日時と、前記予測手段が予測した空き容量の関係を示す画面情報を生成する生成手段とを有することを特徴とする情報処理装置。
【請求項２】
さらに、前記予測手段が、前記削除予定日時とデータ量情報を取得するデータファイルを限定するための条件を入力する入力手段を有することを特徴とする請求項1に記載された情報処理装置。
【請求項３】
前記条件は、前記削除予定日時の期限、前記データファイルの所有者情報、前記データファイルのグループ属性の何れかを含むことを特徴とする請求項2に記載された情報処理装置。
【請求項４】
前記予測手段は、前記条件として前記所有者情報が入力された場合、前記所有者情報に対応するデータファイルの削除予定日時とデータ量情報を取得して前記空き容量を予測し、前記生成手段は、前記所有者情報ごとに前記削除予定日時と前記空き容量の関係を示す画面情報を生成することを特徴とする請求項3に記載された情報処理装置。
【請求項５】
前記予測手段は、前記条件として前記グループ属性が入力された場合、前記グループ属性に対応するデータファイルの削除予定日時とデータ量情報を取得して前記空き容量を予測し、前記生成手段は、前記グループ属性ごとに前記削除予定日時と前記空き容量の関係を示す画面情報を生成することを特徴とする請求項3に記載された情報処理装置。
【請求項６】
データファイルを保管する保管手段が保管するデータファイルのデータ量情報を保持し、
前記保管手段が保管するデータファイルの削除予定日時を管理し、
前記保管手段が保管する全部または一部のデータファイルについて、前記削除予定日時と前記データ量情報を取得して、前記削除予定日時以降の前記保管手段の空き容量を予測し、
前記取得した削除予定日時と、前記予測した空き容量の関係を示す画面情報を生成することを特徴とする情報処理方法。
【請求項７】
情報処理装置を制御して、請求項6に記載された情報処理を実現することを特徴とするコンピュータプログラム。
【発明の詳細な説明】
【技術分野】
【０００１】
本発明は、データファイルを保管する機器やサービスにおける情報処理に関する。
【背景技術】
【０００２】
ディジタルカメラやディジタルレコーダの普及に伴い、様々なシーンでデータファイルを保管するファイル保管機器やサービスが拡充された。例えば、家電においては動画ファイルを保管するハードディスクレコーダがあり、インターネットにおいては画像や文書ファイルを保管するサービスが提供されている。これらファイル保管機器やサービスには保管可能なデータ容量の上限が存在する。ファイル保管機器やサービスは、データストレージの有効利用を図るために空き容量を提示するだけではなく、削除するデータファイルを利用者が簡単に選択する機能、削除予定日時を設定し自動的にデータファイルを削除する機能などを備える。
【０００３】
特許文献1は、空き容量を提示しつつ、記録日時順にコンテンツをソートして、削除したいコンテンツを利用者が選択すると、それに従い空き容量の表示を変える技術を開示する。
【０００４】
また、特許文献2は、削除予定のデータファイルを提示する方法として、カレンダを利用する方法、時系列の階層をもつごみ箱を表示する方法、グループごとのごみ箱を表示する方法を開示する。
【０００５】
しかし、これらファイル保管機器やシステムは、次の利用者の要求には応えられない。
・今後の空き容量の変化を知り、新たに保管計画を建てたい。
・空き容量に余裕があれば特定のデータファイルを暫く残したいが、可能か。
【０００６】
これらの要求を満たすには、どのデータファイルが何時削除されるかを示す情報と、データファイルの削除により空き容量がどう変化するかを示す情報が必要になる。このような情報を、上記のファイル保管装置やシステムから取得するには、利用者が以下の作業を行う必要がある。
【０００７】
まず、利用者は、(1)削除予定のデータファイルを検索し、時系列にソートしたリストを作成する。そして、将来のある時点の残り容量を知るには、(2)当該時点で削除されている筈のデータファイルを検索し、それらのデータ量の合計をデータストレージの最大容量から減算することになる。さらに、空き容量がどう変化するかを知るには、複数の時点における上記(2)の操作を行い、上記(1)で作成したリストに合せて、グラフ表示する。
【０００８】
このような作業は、ファイル保管装置やシステムの利用者にとって、非常に手間と時間がかかり不便である。
【０００９】
上述した特許文献1の発明は、記録日時順にコンテンツを時系列にソートしてグラフ表示することを開示する。また、特許文献2の発明は、データファイルの削除予定をカレンダ表示することを開示する。
【００１０】
しかし、上記の特許文献1または2は、コンテンツを削除した場合にどれくらいの空き容量が発生するかを明示しないので、ユーザにとって分かりづらく、効率的にコンテンツを管理して、空き容量を計画的に確保することができない問題がある。
【００１１】
【特許文献１】特開2003-281864公報
【特許文献２】特開2003-316619公報
【発明の開示】
【発明が解決しようとする課題】
【００１２】
本発明は、データファイルの削除予定と空き容量の関係を示す情報を提供することを目的とする。
【課題を解決するための手段】
【００１３】
本発明は、前記の目的を達成する一手段として、以下の構成を備える。
【００１４】
本発明にかかる情報処理装置は、データファイルを保管する保管手段と、前記保管手段が保管するデータファイルのデータ量情報を保持する保持手段と、前記保管手段が保管するデータファイルの削除予定日時を管理する管理手段と、前記保管手段が保管する全部または一部のデータファイルについて、前記管理手段が管理する削除予定日時と前記保持手段が保持するデータ量情報を取得して、前記削除予定日時以降の前記保管手段の空き容量を予測する予測手段と、前記予測手段が取得した前記削除予定日時と、前記予測手段が予測した空き容量の関係を示す画面情報を生成する生成手段とを有することを特徴とする。
【００１５】
本発明にかかる情報処理方法は、データファイルを保管する保管手段が保管するデータファイルのデータ量情報を保持し、前記保管手段が保管するデータファイルの削除予定日時を管理し、前記保管手段が保管する全部または一部のデータファイルについて、前記削除予定日時と前記データ量情報を取得して、前記削除予定日時以降の前記保管手段の空き容量を予測し、前記取得した削除予定日時と、前記予測した空き容量の関係を示す画面情報を生成することを特徴とする。
【発明の効果】
【００１６】
本発明によれば、データファイルの削除予定と空き容量の関係を示す情報を提供することができ、ユーザが効率的にデータファイルを管理して空き容量を計画的に確保できるようになる。
【発明を実施するための最良の形態】
【００１７】
以下、本発明にかかる実施例について図面を参照して詳細に説明する。
【実施例１】
【００１８】
［装置の構成］
図1は実施例1のファイル保管装置100の構成例を示すブロック図である。
【００１９】
ファイル保管部101は、ハードディスクなどの割り当てられたデータファイルを保管する領域である。削除予定管理部102は、ファイル保管部101に保管されたデータファイルの削除予定日時を管理し、削除予定日時に達したデータファイルをファイル保管部101から削除する。削除予定日時は、削除予定管理部102がファイルの属性（例えばファイル保管部101に登録した日時）から自動的に設定する場合、データファイルのユーザがクライアント装置200を操作して指定する場合がある。
【００２０】
ファイル情報保持部103は、少なくとも次の構成により、ファイル保管部101に保管されたデータファイルの属性情報を保持する。グループ情報保持部104は、データファイルのグループ情報を保持する。サイズ保持部105は、データファイルのサイズ（データ容量）を保持する。削除予定保持部106は、データファイルの削除予定日時を保管する。
【００２１】
グループ管理部107は、クライアント装置200から指示された保管グループの情報（ユーザグループ情報やオブジェクトグループ情報）を管理し、グループ情報保持部104が保持するグループ情報を更新する。
【００２２】
容量取得部108は、ファイル保管部101の保管領域について、総容量、現在の使用量、空き容量を取得する。なお、以下では、とくに断らない限り、総容量、現在の使用量、空き容量とはファイル保管部101の総容量、現在の使用量、空き容量のことである。容量取得部108は、グループ管理部107が管理するグループ情報に基づき、保管グループ単位の総容量、現在の使用量、空き容量を取得することが可能である。空き容量計算部109は、容量取得部108とサイズ保持部105から得られる情報に基づき、ファイル保管部101の空き容量を計算する。なお、空き容量計算部109は、後述する予測空き容量も計算する。
【００２３】
表示条件保持部110は、クライアント装置200から指示された一覧情報の表示条件を保持する。一覧情報生成部111は、ファイル保管部101に保管されたデータファイルの削除予定と、空き容量の変化を示す一覧情報を生成する。一覧情報は、削除予定保持部106が保持する削除予定日時と、空き容量計算部109が予測した空き容量に基づき、表示条件保持部110が保持する表示条件に従って生成する。表示処理部112は、一覧情報生成部111が生成した一覧情報の表示処理を行い、表示データをクライアント装置200に送信する。
【００２４】
クライアント装置200は、汎用のパーソナルコンピュータなどである。クライアント装置200とファイル保管装置100は、汎用のインタフェイス（例えばUSBやIEEE1394などのシリアルバス）やネットワークを介して接続する。また、図1にはクライアント装置200が一台の例を示したが、例えばネットワークを介して、複数台のクライアント装置200をファイル保管装置100に接続することができる。
【００２５】
［処理］
図2は一覧情報生成部111による一覧情報の生成処理を示すフローチャートである。
【００２６】
一覧情報生成部111は、ユーザから予定一覧の表示要求を受け付けると(S201)、表示条件保持部110から表示条件を取得し(S202)、取得した表示条件に従い削除予定のデータファイルのリストLを取得する(S203)。
【００２７】
次に、一覧情報生成部111は、リストLの各要素である削除予定のデータファイルの削除予定日時を取得し、空き容量計算部109によって計算された当該データファイルが削除された後の予測空き容量を取得する(S204)。そして、取得した表示条件に従い、取得した削除予定日時と予測空き容量から、時間軸上に削除予定のデータファイルのアイコンと、予測空き容量の変化を配置した一覧情報を生成する(S205)。生成された一覧情報は、表示処理部112によって表示処理される。
【００２８】
●データファイルの削除予定日時と予測空き容量の取得
図3はデータファイルの削除予定日時と予測空き容量の取得(S204)の詳細な処理を示すフローチャートである。
【００２９】
まず、削除予定ファイルのリストLの要素（例えばデータファイル名や識別番号）を削除予定日時の昇順にソートし(S301)、リストLの要素数Nを取得する(S302)。そして、変数iに1を初期設定し(S303)、容量取得部108から取得した空き容量を行列の要素C[0]に設定する(S304)。
【００３０】
次に、ソート済みのリストLのi番目の要素である削除予定ファイル名F[i]を取得する(S305)。そして、削除予定保持部106からF[i]の削除予定日時を取得して行列の要素T[i]に設定する(S306)。そして、サイズ保持部105からF[i]のサイズを取得して行列の要素S[i]に設定する(S307)。そして、空き容量計算部109から時刻T[i]における予測空き容量を取得して行列の要素C[i]に設定する(S308)。空き容量計算部109は、C[i-1]+S[i]の計算によりC[i]に相当する空き容量を予測する。
【００３１】
次に、変数iをインクリメントし(S309)、変数iと要素数Nを比較して(S310)、i≦Nであれば処理をステップS305に戻し、i＞NならばステップS204の処理を終了する。
【００３２】
［表示条件の設定］
図4Aは表示条件指定画面（ユーザインタフェイス）の一例を示す図で、クライアント装置200によって表示される。
【００３３】
ユーザは、表示対象日時のリストボックスにより、例えば一日、一週間、一月など、日単位、週単位または月単位の期限を設定する。図4Aには、表示対象日時を「1ヶ月先」の削除予定分までとした例を示す。また、ユーザは、ファイル表示形式欄のラジオボタンによって、ファイル表示形式を「アイコン」「アイコン詳細」「サムネール」から選択する。
【００３４】
ユーザは、表示対象日時の期限を具体的な日時で設定することができる。その場合、リストボックスから「日時指定」を選択すればよい。また、ユーザは、リストボックスから「期限なし」を選択するとことができる。この場合、ファイル保管部101に保管された全データファイルが対象になる。
【００３５】
ユーザがOKボタンを押すと、表示条件指定画面によって指定された条件は、表示条件保持部110に送られ保持される。
【００３６】
図4Bは表示条件保持部110が保持するデータ例を示す図である。
【００３７】
表示条件保持部110は、表示条件指定画面によって指定された条件表示を1レコードとして、表示条件IDを付加して保持する。レコードのフィールドには、表示対象日時、ファイル表示形式、表示条件を設定したユーザを示すユーザIDなどがある。
【００３８】
［ファイル情報］
図5はファイル情報保持部103が保持するファイル情報の一例を示す図である。
【００３９】
ファイル情報保持部103は、ファイル保管部101に保管されたデータファイル単位にファイルIDを付加したファイル情報（レコード）を保持する。ファイル情報のフィールドには、サイズ保持部105が保持するサイズ、削除予定保持部106が保持する削除予定日時、グループ情報保持部104が保持するデータファイルの帰属を示すユーザIDなどがある。言い替えれば、ユーザIDは、ファイル保管装置100がデータファイルの所有者と認識しているユーザを特定する。
【００４０】
図6Aは、図5に示すファイル情報から、図4BのID＝1の表示条件に従いファイル情報を抽出し、削除予定日時の昇順にソートした結果（ソート済みのリストLに相当）を示す図である。現在の日時が2005年8月1日だとすると、表示条件「1ヶ月先の削除予定分まで」を満たす、削除予定日時が2005年8月1日から2005年9月1日までのファイル情報が抽出され、ソートされる。
【００４１】
図6Bは削除予定日時にデータファイルが削除された場合の予測空き容量を取得した結果を示す図である。各ファイル情報の削除予定日時における予測空き容量がリストされている。
【００４２】
図7は図6BのリストLに基づき、表示処理部112が生成する削除予定一覧画面の一例を示す図である。削除予定一覧画面のデータはクライアント装置200に提供される。
【００４３】
図7には、縦軸を時間軸として、上から下に向けて削除予定順にデータファイル名と削除予定日時を表示した例を示す。また、ファイル表示形式は、図4BのID=1の表示条件に従いアイコン形式で表示されている。一方、横軸は空き容量を示し、データファイルの削除に連動して空き容量が増加する様子を表示する。
【００４４】
表示処理部112は、表示条件が「1ヶ月先の削除予定分まで」など比較的長い期間の場合は、例えば縦軸（時間軸）の目盛を週単位、補助目盛を一日単位として、図7に示すような削除予定一覧画面を作成する。しかし、より短い期間が指定された場合は、より短い間隔の目盛と補助目盛を採用する。期間が一、二週間程度であれば、例えば、目盛を一日、補助目盛を半日にすればよい。また、期間が一、二日程度であれば、例えば、目盛を四時間、補助目盛を一時間にすればよい。これら目盛、補助目盛の設定は、ユーザが必要に応じて変更可能であることは言うまでもない。
【００４５】
このように、削除予定一覧画面によって、ユーザは、どのデータファイルがいつ削除されるかを確認することができる。従って、ユーザが知らないうちにデータファイルが削除されてしまうような問題を避けることができる。また、ユーザは、データファイルの削除によって空き容量がどう変化するかを把握することができる。従って、データファイルをどう削除し保管するかをユーザが計画する際に有効な情報を提供することができる。
【実施例２】
【００４６】
以下、本発明にかかる実施例2の情報処理を説明する。なお、実施例2において、実施例1と略同様の構成については、同一符号を付して、その詳細説明を省略する。
【００４７】
以下では、実施例2として、ユーザ単位に削除予定一覧画面を表示する例を説明する。なお、ユーザ単位の代わりに、グループ単位としても同じである。なお、グループには、ユーザグループやオブジェクトグループ（例えばアルバム、季節、場所、個人、団体、催事など）が考えられる。
【００４８】
［表示条件の設定］
図8Aは表示条件指定画面（ユーザインタフェイス）の一例を示す図で、クライアント装置200によって表示される。
【００４９】
ユーザは、表示対象日時のテキストボックスに日時情報を入力して期間を設定する。図8Aには、表示対象日時を「2005/10/31」の削除予定分までとした例を示す。また、ファイル表示形式欄のラジオボタンによって、ファイル表示形式を「アイコン」「アイコン詳細」「サムネール」から選択する。また、ユーザ表示形式欄のラジオボタンによって、ユーザ表示形式を「まとめて表示」「ユーザ別に分けて表示」から選択する。また、表示ユーザ欄のラジオボタンによって、表示ユーザを「全ユーザ表示」「ユーザIDで指定する」から選択する。そして、ユーザIDで指定するを選択した場合は、テキストボックスにユーザIDを入力する。また、空き容量の表示形式欄のラジオボタンによって、「まとめて表示」「ユーザ別に分けて表示」を選択する。
【００５０】
ユーザがOKボタンを押すと、表示条件指定画面によって指定された条件は、表示条件保持部110に送られ保持される。
【００５１】
図8Bは表示条件保持部110が保持するデータ例を示す図である。
【００５２】
表示条件保持部110は、表示条件指定画面によって指定された条件表示を1レコードとして、表示条件IDを付加して保持する。レコードのフィールドには、表示対象日時、ファイル表示形式、ユーザ表示形式、表示ユーザID、空き容量表示形式、表示条件を設定したユーザを示すユーザIDなどがある。なお、表示ユーザIDフィールドおよび空き容量表示形式フィールドは、ユーザ表示形式がまとめての場合は空(null)である。
【００５３】
［処理］
図9は実施例2の、一覧情報生成部111による一覧情報の生成処理を示すフローチャートである。図2と同じ処理には、同一符号を付して、その詳細説明を省略する。
【００５４】
一覧情報生成部111は、ステップS202で取得した表示条件のユーザ表示形式が「まとめて」か「ユーザ別」かを判定する(S801)。「まとめて」の場合は、図2と同じ処理になるので説明を省略する。
【００５５】
表示条件のユーザ表示形式が「ユーザ別」の場合、一覧情報生成部111は、表示条件の表示ユーザIDからユーザリストGLを生成する(S802)。そして、ユーザリストGLの要素数GNを取得し(S803)、変数jを1に初期化する(S804)。
【００５６】
次に、一覧情報生成部111は、ユーザリストGLのj番目のユーザG[j]のユーザIDを取得し(S805)、表示条件の表示対象日時に従いユーザG[j]に属する削除予定のデータファイルのリストFL[j]を取得する(S806)。なお、データファイルの帰属（所有者）を示す情報はグループ情報保持部104に保持されている。
【００５７】
次に、一覧情報生成部111は、リストFL[j]の各要素である削除予定のデータファイルの削除予定日時を取得し、当該データファイルが削除された後の予測空き容量を取得する(S807)。なお、ステップS807の処理は、ステップS204の処理と同じで、その詳細は図3のフローチャートで説明したとおりである。ただし、ステップS807において、容量取得部108は、ステップS304でユーザごとの空き容量を算出するために、該当するユーザに割り当てられた保管領域の総容量、現在の使用量、空き容量をグループ管理部107から取得する。
【００５８】
次に、一覧情報生成部111は、変数jをインクリメントし(S808)、変数jと要素数GNを比較して(S809)、j≦GNであれば処理をステップS805に戻して、表示対象のユーザに関する一覧情報の生成に必要な情報を取得する。また、j＞GNならば処理をステップS810に進める。
【００５９】
次に、一覧情報生成部111は、表示条件の空き容量表示形式が「まとめて」か「ユーザ別」かを判定する(S810)。「まとめて」の場合は処理をステップS205へ進める。
【００６０】
表示条件の空き容量表示形式が「ユーザ別」の場合、一覧情報生成部111は、ユーザごとに取得した削除予定日時と空き容量の関係をマージした一覧情報を生成し(S811)、処理をステップS205へ進める。
【００６１】
図10Aから図10CはステップS807において作成される一覧情報の一例を示す図である。なお、図10AはユーザA（ユーザID=A）の一覧情報、図10BはユーザB（ユーザID=B）の一覧情報、図10CはユーザC（ユーザID=C）の一覧情報をそれぞれ示す。
【００６２】
図11はステップS811でマージ後の一覧情報に基づき、表示処理部112が生成する削除予定一覧画面の一例を示す図である。削除予定一覧画面のデータはクライアント装置200に提供される。
【００６３】
図11には、ユーザA、B、Cそれぞれの枠（一点鎖線で示す）を用意して、縦軸を時間軸として上から下に向けて削除予定順にデータファイル名を表示した例を示す。一方、横軸は空き容量を示し、データファイルの削除に連動して、各ユーザの空き容量が増加する様子を表示する。なお、点線はユーザAの空き容量を、破線はユーザBの空き容量を、実線はユーザCの空き容量をそれぞれ示している。
【００６４】
このように、削除予定一覧画面によって、ユーザごとに、どのデータファイルがいつ削除されるかを確認することができる。また、ユーザ間の空き容量の変化を比べることができ、ユーザらが、データファイルをどう削除し保管するかを計画する際に有効な情報を提供することができる。なお、上記の処理でユーザをグループに置き換えれば、グループごとのデータファイルの削除スケジュール、グループ間の空き容量の変化を知ることができる。
【実施例３】
【００６５】
以下、本発明にかかる実施例3の情報処理を説明する。なお、実施例3において、実施例1、2と略同様の構成については、同一符号を付して、その詳細説明を省略する。
【００６６】
以下では、実施例3として、データファイルを階層管理する場合の削除予定一覧画面の表示を説明する。なお、実施例3では、データファイルをユーザ属性とアルバム属性によって管理し、ユーザ属性情報の中にアルバム属性が記述されているものとする。従って、アルバム属性の上位階層がユーザ属性になる。なお、ユーザ属性やアルバム属性をグループ属性と呼ぶ場合がある。
【００６７】
［表示条件の設定］
図12は表示条件指定画面（ユーザインタフェイス）の一例を示す図で、クライアント装置200によって表示される。
【００６８】
図12に示す表示条件指定画面は、図8Aに示す表示条件指定画面の設定内容に加えて、アルバム表示形式と表示アルバムを、ユーザ表示形式と表示ユーザと同様に設定することができる。つまり、ユーザは、アルバム表示形式欄のラジオボタンによって、アルバム表示形式を「まとめて表示」「アルバム別に分けて表示」から選択する。また、表示アルバム欄のラジオボタンによって、表示アルバムを「全アルバム表示」「アルバムIDで指定する」から選択する。そして、アルバムIDで指定するを選択した場合は、テキストボックスにアルバムIDを入力する。
【００６９】
図13は、図12の表示条件指定画面による表示条件の設定に基づき、表示処理部112が生成する削除予定一覧画面の一例を示す図である。削除予定一覧画面のデータはクライアント装置200に提供される。
【００７０】
図13には、アルバムX、Y、Zそれぞれの枠（一点鎖線で示す）を用意して、縦軸を時間軸として上から下に向けて削除予定順にデータファイルのサムネールアイコンを表示した例を示す。一方、横軸は空き容量を示し、データファイルの削除に連動して空き容量が増加する様子を表示する。なお、予測空き容量は、上位階層のユーザ属性単位に表示する。
【００７１】
このように、削除予定一覧画面によって、ユーザ属性の下位層の属性（上記の例ではアルバム）ごとに、どのデータファイルがいつ削除されるかを確認することができる。また、階層の属性間の空き容量の変化を比べることができ、データファイルをどう削除し保管するかをユーザが計画する際に有効な情報を提供することができる。
【００７２】
勿論、ユーザ属性の下位属性としてアルバム属性以外のグループ属性に、季節、場所、個人、団体、催事などが考えらる。これら下位のグループ属性ごとに削除予定一覧画面を表示することも可能である。
【００７３】
［変形例］
上記の実施例においては、データファイルを保管するファイル保管装置を例に説明した。しかし、データファイルを保管し、データファイルの削除予定日時を設定可能な機器やサービスであれば、本発明を適用可能である。例えば、家電機器であるハードディスクレコーダや、インターネット上のデータファイル保管サービスなどに適用可能である。
【００７４】
また、上記では、機器やサービスの利用者が自身に割り当てられたデータファイル保管領域を管理するために削除予定一覧画面を利用する例を説明した。しかし、削除予定一覧画面は、システム管理者が利用者の保管状況やファイル保管部101の総容量、現在の使用量、空き容量を管理する場合にも利用可能である。
【００７５】
［他の実施例］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００７６】
また、本発明の目的は、上記実施例の機能を実現するソフトウェアを記録した記憶媒体（記録媒体）をシステムまたは装置に供給し、そのシステムまたは装置のコンピュータ（CPUやMPU）が前記ソフトウェアを実行することでも達成される。この場合、記憶媒体から読み出されたソフトウェア自体が上記実施例の機能を実現することになり、そのソフトウェアを記憶した記憶媒体は本発明を構成する。
【００７７】
また、前記ソフトウェアの実行により上記機能が実現されるだけでなく、そのソフトウェアの指示により、コンピュータ上で稼働するオペレーティングシステム(OS)などが実際の処理の一部または全部を行い、それによって上記機能が実現される場合も含む。
【００７８】
また、前記ソフトウェアがコンピュータに接続された機能拡張カードやユニットのメモリに書き込まれ、そのソフトウェアの指示により、前記カードやユニットのCPUなどが実際の処理の一部または全部を行い、それによって上記機能が実現される場合も含む。
【００７９】
本発明を前記記憶媒体に適用する場合、その記憶媒体には、先に説明したフローチャートに対応するソフトウェアが格納される。
【図面の簡単な説明】
【００８０】
【図１】実施例1のファイル保管装置の構成例を示すブロック図、
【図２】一覧情報生成部による一覧情報の生成処理を示すフローチャート、
【図３】データファイルの削除予定日時と予測空き容量の取得の詳細な処理を示すフローチャート、
【図４Ａ】表示条件指定画面（ユーザインタフェイス）の一例を示す図、
【図４Ｂ】表示条件保持部が保持するデータ例を示す図、
【図５】ファイル情報保持部が保持するファイル情報の一例を示す図、
【図６Ａ】図5に示すファイル情報から表示条件に従いファイル情報を抽出し、削除予定日時の昇順にソートした結果を示す図、
【図６Ｂ】削除予定日時にデータファイルが削除された場合の予測空き容量を取得した結果を示す図、
【図７】図6Bのリストに基づき、表示処理部が生成する削除予定一覧画面の一例を示す図、
【図８Ａ】表示条件指定画面（ユーザインタフェイス）の一例を示す図、
【図８Ｂ】表示条件保持部が保持するデータ例を示す図、
【図９】実施例2の一覧情報生成部による一覧情報の生成処理を示すフローチャート、
【図１０Ａ】一覧情報の一例を示す図、
【図１０Ｂ】一覧情報の一例を示す図、
【図１０Ｃ】一覧情報の一例を示す図、
【図１１】マージ後の一覧情報に基づき、表示処理部が生成する削除予定一覧画面の一例を示す図、
【図１２】実施例3の表示条件指定画面（ユーザインタフェイス）の一例を示す図、
【図１３】図12の表示条件指定画面による表示条件の設定に基づき、表示処理部が生成する削除予定一覧画面の一例を示す図である。
【図１】
2008090496.tif 000003
【図２】
2008090496.tif 000004
【図３】
2008090496.tif 000005
【図４Ａ】
2008090496.tif 000006
【図４Ｂ】
2008090496.tif 000007
【図５】
2008090496.tif 000008
【図６Ａ】
2008090496.tif 000009
【図６Ｂ】
2008090496.tif 000010
【図７】
2008090496.tif 000011
【図８Ａ】
2008090496.tif 000012
【図８Ｂ】
2008090496.tif 000013
【図９】
2008090496.tif 000014
【図１０Ａ】
2008090496.tif 000015
【図１０Ｂ】
2008090496.tif 000016
【図１０Ｃ】
2008090496.tif 000017
【図１１】
2008090496.tif 000018
【図１２】
2008090496.tif 000019
【図１３】
2008090496.tif 000020